(57)【要約】データキャリアカード（１２）の取消し及び発行用の搬送装置（１０）と、データキャリアカード（１２）とのデータ交換用の書込み・読取り装置（１８）と、前記搬送装置（１０）及び書込み・読取り装置（１８）の制御用の制御装置（４２）とを備えた、データキャリアカードの処理装置において、搬送装置（１０）がインプット・アウトプット区分（１６）と、これに続くカード中間蓄え器（２２）とを有している。
2004500655.tif 000002
【特許請求の範囲】
【請求項１】
データキャリアカードの処理装置であって、インプット・アウトプット区分（１６）を備えた搬送装置（１０）と、データキャリアカード（１２）とのデータ交換用の書込み・読取り装置（１８）と、前記搬送装置（１０）及び書込み・読取り装置（１８）を制御するための制御装置（４２）とを有している形式のものにおいて、
搬送装置（１０）がインプット・アウトプット区分（１６）に続くカード中間蓄え器（２２）を有しており、該カード中間蓄え器（２２）に第２のカードが保持される間に、この第２のカードに記録されたデータを用いて第１のカードにデータを記録するための手段（４２，１８）が設けられていることを特徴とする、データキャリアカードの処理装置。
【請求項２】
１枚のカードがカード中間蓄え器（２２）に保持される間に、第１のカードから第２のカードにデータを伝達するための手段（４２，１８）を有している、請求項１記載の装置。
【請求項３】
書込み・読取り装置（１８）が、種々様々な記録媒体及び／又はデータ接続技術を有するデータキャリアカード（１２）を処理するために形成されている、請求項１又は２記載の装置。
【請求項４】
カード中間蓄え器（２２）に少なくとも２つの別個の搬送路（２８，３０）が設けられており、これらの搬送路が個々で選択的にインプット・アウトプット区分（１６）と接続可能である、請求項１から３までのいずれか１項記載の装置。
【請求項５】
搬送装置（１０）にカードマガジン（１４）が対応配置されており、少なくとも１つの搬送路（２８，３０）が選択的に前記カードマガジン（１４）と接続可能である、請求項４記載の装置。
【請求項６】
カードマガジンが、蓄え用の複数の引出しを少なくとも１枚のデータキャリアカード毎に有しており、搬送装置（１０）及びカード中間蓄え器（２２）が、選び出された引出しがカード中間蓄え器（２２）の搬送路（３０）と整合するように相対的に移動可能であり、データキャリアカードを搬送装置（１０）から引出しに引き渡し且つ／又は引出しから搬送装置（１０）に引き渡すために引渡し手段が設けられている、請求項５記載の装置。
【請求項７】
データキャリアカードを各引出しに差込み且つ／又は各引出しから引き出すために、引渡し手段が少なくとも１つの摺動子（３６）を有している、請求項６記載の装置。
【請求項８】
搬送装置（１）が収集区画（４０）と結合可能である、請求項１から７までのいずれか１項記載の装置。
【請求項９】
搬送装置（１０）が、横方向軸線及び／又は長手方向軸線及び／又はカード平面に対して垂直方向で向けられた高さ軸線を中心としてカードを回動させるためのカード反転ステーション（２０）を有している、請求項１から８までのいずれか１項記載の装置。
【請求項１０】
カード中間蓄え器（２２）が反転ステーションとして形成されている、請求項９記載の装置。
【発明の詳細な説明】
【０００１】
本発明は、データキャリアカードの処理装置であって、データキャリアカードの取消し及び発行用のインプット・アウトプット区分を備えた搬送装置と、データキャリアカードとのデータ交換用の書込み・読取り装置と、前記搬送装置及び書込み・読取り装置を制御するための制御装置とを有する形式のものに関する。
【０００２】
磁気ストリップ及び／又は組み込まれたチップを有するデータキャリアカードは、証明書カード又は支払い手段等として徐々に広まっている。多くの場合、前記カードは個人に限定されている。当該カードの発行は、ある特定の安全規定の影響下にあるので、相応に手間がかかり複雑である。
【０００３】
規格化されたカードのストックを収容するためのカード蓄え器を有するカードディスペンサーが既に公知であるが、前記カードは発行前は一般に処理されない。
【０００４】
更に、ドイツ連邦共和国特許出願公開第１９６３４６８８号明細書に基づき、カードの処理、つまり当該カードに記録されたデータの読取り及びデータの記録を可能にし、更に、取り出されたカードを収納し、これらのカードを再発行することもできるカードマガジンを有する、冒頭で述べた形式の装置が公知である。これにより、カードは所定のサイクルで個別に処理、記録され、場合によっては２回目の処理後に再発行することができる。但しこの場合、カードのサイクルは先入れ先出し原理に基づいて行われる。つまり、１枚のカードがカードマガジン全体を通走した後で初めて、当該カードを再発行することができる。
【０００５】
本発明の課題は、冒頭で述べた形式の装置を改良して、上で述べた形式のデータキャリアカードのための用途を拡張することである。
【０００６】
この課題は本発明に基づき、搬送装置がインプット・アウトプット区分に続くカード中間蓄え器を有しており、該カード中間蓄え器に第２のカードが保持される間に、この第２のカードに記録されたデータを用いて第１のカードにデータを記録するための複数の手段が設けられていることによって解決される。
【０００７】
つまり、データキャリアカードの処理は、例えばまず最初に第２のカードが当該装置に導入されて、このカードにメモリされたデータが読み取られるように行われる。次いで第１のカードが導入され、この第１のカードには第２のカードから読み取られたデータを用いてデータが書き込まれる。第２のカードは、例えば新しいカードの発行資格を与える証明書カードであってよい。
【０００８】
しかし、データが一方のカードから他方のカードへ直接に伝達され、例えば記録し直されるように構成されていてもよい。このようにして、顧客は特定のサービスを要求することができ、しかもそのカードはその都度チャージされる。次いで、加算された金額が店員又は例えばウェーターのカードに記録されるか、又は別のカードによって借方に記入される。
【０００９】
本発明による装置は、ある記録技術のカードのデータを別の記録技術のカードに記録し直すためにも利用することができ、この場合、書込み・読取り装置は種々様々な記録媒体を有するカードを処理するために形成されている。
【００１０】
本発明による装置の用途の著しい拡張は、搬送装置にカードマガジンが対応配置されており、この場合、カード中間蓄え器に少なくとも２つの別個の搬送路が設けられており、これらの搬送路が個々で選択的にインプット・アウトプット区分と接続可能であり、当該搬送路の内の少なくとも１つが選択的にカードマガジンに接続可能であると得られる。この構成では、カードはカードマガジンから取り出され、例えば別のデータキャリアカードから読み取られたデータを用いて更新又は個人化することができる。前記の別のデータキャリアカードは必要とされる限りはカード中間蓄え器に保持される。この場合、カードマガジンから取り出されるカードは、場合によっては決まった特定のデータセットを既に有していてもよい。別の用途は、カードマガジンが蓄え用の複数の引出しを、少なくとも１枚のデータキャリアカード毎に有している場合に得られる。この場合、搬送装置とカードマガジンとは、選出された引出しがカード中間蓄え器の搬送路と整合するように移動可能であり、しかも、データキャリアカードを搬送装置から各引出しへ引き渡し且つ／又は各引出しから搬送装置へ引き渡すために、複数の引渡し手段が設けられている。この場合は、例えば規定されたカードストックが上で説明した形式で個人化又は更新されてから、カードマガジンに収納されてよい。
【００１１】
この場合、データキャリアカードを各引出しに差し込むか、又は各引出しから引き出すためには、前記引渡し手段が少なくとも１つの摺動子を有している。搬送装置にカードを導入する際のエラーを修正できるようにするためには、カードを横方向軸線及び／又は長手方向軸線及び／又はカード平面に対して垂直方向で向けられた高さ軸線を中心として回動させるためのカード反転ステーションが搬送装置に設けられていてよい。この場合、スペース節約型の装置は、カード中間蓄え器が反転ステーションとして形成されることによって得られる。
【００１２】
以下に、本発明の実施例を図面につき詳しく説明する。
【００１３】
図１及び図２に概略的に示した装置は全体的に符号１０で示した、データキャリアカード１２用の搬送装置を有しており、前記データキャリアカード１２は外部から搬送装置に入れられるか、又はカードマガジン１４に保管される。
【００１４】
搬送装置１０は内部に書込み・読取りヘッド１８が配置されたインプット・アウトプット区分１６、カード反転ステーション２０及びカード中間蓄え器２２を有している。搬送ローラ対２４はインプット・アウトプット区分１６における搬送路２６及び反転ステーション２０並びにカード中間蓄え器２２内の搬送路区分２８，３０を規定する。
【００１５】
前記書込み・読取りヘッドは、磁気ストリップの読書き用及び／又はコンタクト素子との接触接続による、組み込まれたチップを有するチップカードとのデータ接続用及び／又は例えば静電結合、誘導結合又はＲＦ結合に基づき無接触式で形成されているので、種々様々な記録技術及び／又は接続技術を有するカードを処理することができる。
【００１６】
カード反転ステーション２０では、カードは図示の実施例ではその横方向軸線を中心として回動されてよい。カードがオペレータによって誤ってインプット・アウトプット区分１６に導入された場合に、カードを書込み・読取りヘッド１８に対して相対的に正しく位置決めするためには、カードが更に択一的又は付加的に、その長手方向軸線及びカード平面に対して垂直方向を向いた高さ軸線を中心として回動可能であるように反転ステーションを構成することも、やはり考えられる。但し、カード反転ステーション２０は、カード中間蓄え器に組み込まれるか、若しくはこのカード中間蓄え器が反転ステーションとして構成されてもよい。
【００１７】
カード中間蓄え器２２は、全体として概略的に示した駆動装置３２によって二重矢印３４の方向で、下側の搬送路区分２８と反転ステーション２０への引渡し位置とが整合し且つ上側の搬送路区分３０がカードマガジン１４の発行位置と整合する図１に示した位置と、図２に示した、上側の搬送路区分３０が反転ステーション２０への引渡し位置と整合する下側の位置との間で移動可能である。
【００１８】
カード１２は、カードマガジン１４から摺動子３６によって取り出され、この摺動子３６はモータ３８によって駆動される。
【００１９】
カードマガジン１４の下位には収集区画４０が位置している。
【００２０】
上で説明した装置の個々の機能は、図面に示したように制御ユニット４２によって制御され得る。
【００２１】
カード中間蓄え器又は２つの搬送路区分２８，３０を有する引渡し区分２２の形成は、カードマガジンに収納されているのではなく、外部から導入されるカードの中間蓄えの可能性を提供する。例えば、まず最初にデータを別のカードに書き換えようとするか又はそのデータが別のカードの書込み用に必要とされるカードがインプット・アウトプット区分１６を介してカード中間蓄え器２２の搬送路区分２８に導入される。この場合、カード中間蓄え器２２は図１に示した位置に位置している。カード中間蓄え器２２の同じ位置において、摺動子３６によって１枚のカード１２がカードマガジン１４から取り出されて搬送路区分３０に差し込まれる。次いで、カード中間蓄え器２２が図２に示した位置へ降下され、これにより、前記の取り出されたカードが反転ステーション２０を介してインプット・アウトプット区分１６へ搬送される。この時間の間、最初に述べたカードはカード中間蓄え器２２の搬送路区分２８に留まっている。このようなカードは、例えば新たなカードの発行資格を与える証明書カードであってよいか、又は例えば部分残高が借方に記入されて、カードマガジン１４から取り出されたカードに記録し直される預金残高を含んでいてもよい。
【００２２】
他方では、両カードが外部からインプット・アウトプット区分１６に導入されてもよい。この場合、最初に導入されたカードはカード中間蓄え器２２に蓄えられる。この場合も、上で既に説明したのと同じ機能が実施され得る。
【００２３】
基本的に、カードマガジン１４をカードディスペンサーとして形成するだけでなく、二重矢印３４の方向で上下に移動可能なカード中間蓄え器２２を介してカードを所望のように収納することのできる複数の引き出しをカードマガジン１４に設けるという可能性もあり、これにより、カードを再び見つけだすことができ、例えば何回も取り消したり再発行することができる。カードの再発行を考慮しない場合は、図１及び図２の矢印によって示したように、一般にカード中間蓄え器２２の搬送路区分２８，３０からのカードを収納することのできる収集区画４０で十分である。
【００２４】
本発明による装置は一般に、個人化されたカードがＳＢターミナルを介して発行され、このカードに支払額が記録され、後で最終的に清算するために前記カードが再度ターミナルに返される清算システムのために使用可能である。このような手段の別の適用例は、例えば時間に関連したコンピュータ利用（例えばインターネットカフェ内）又は飲食店での清算（電子ビアコースター）である。別の適用例は、例えば部屋用の入室カードがターミナルで発行されるか若しくは再度取り消される又は収納される、ホテルの自動セルフサービスチェックイン・チェックアウトシステムである。個々の部屋に対応したカードは、それぞれ例えばドアキーを開けるためのキーコンビネーション等の固定データを有している。他方では、ゲストそれぞれに関するデータを個人化することができるので、前記カードを介して最後に清算も行われる。
【００２５】
本発明による手段は、データが第１のカードと第２のカードとの間で伝達されるか、又は他方のカードにメモリされたデータを用いて、一方のカードのメモリにデータを書き込もうとする多くの用途を提供するということが認識される。前記の全ての機能は、従来のカードＲ／Ｗモジュールをカードマガジン及び説明したカード中間蓄え器と組み合わせることにより、簡単且つ効率的に実現され得る。
【図面の簡単な説明】
【図１】
カード中間蓄え器の第１の位置における、本発明によるカード処理装置の概略側面図である。
【図２】
カード中間蓄え器の第２の位置における、図１に対応する図である。
【符号の説明】
１０　搬送装置、　１２　データキャリアカード、　１４　カードマガジン、　１６　インプット・アウトプット区分、　１８　書込み・読取りヘッド、　２０　カード反転ステーション、　２２　カード中間蓄え器、　２４　搬送ローラ対、　２６　搬送路、　２８，３０　搬送路区分、　３２　駆動装置、　３４　二重矢印、　３８　モータ、　４０　収集区画、　４２　制御ユニット
【国際公開パンフレット】
2004500655.tif 000003
2004500655.tif 000004
2004500655.tif 000005
2004500655.tif 000006
2004500655.tif 000007
2004500655.tif 000008
2004500655.tif 000009
2004500655.tif 000010
2004500655.tif 000011
2004500655.tif 000012
2004500655.tif 000013
2004500655.tif 000014
2004500655.tif 000015
【手続補正書】
【提出日】平成13年12月19日(2001.12.19)
【手続補正１】
【補正対象書類名】明細書
【補正対象項目名】請求項１
【補正方法】変更
【補正の内容】
【請求項１】
データキャリアカードの処理装置であって、データキャリアカードの取消し及び発行用のインプット・アウトプット区分（１６）を備えた搬送装置（１０）と、データキャリアカード（１２）とのデータ交換用の書込み・読取り装置（１８）と、前記搬送装置（１０）及び書込み・読取り装置（１８）を制御するための制御装置（４２）とを有しており、しかも、第２のカードに記録されたデータを用いて第１のカードにデータを記録するための手段（４２，１８）が設けられている形式のものにおいて、
書込み・読取り装置（１８）がインプット・アウトプット区分（１６）に配置されており、搬送装置（１０）が前記インプット・アウトプット区分（１６）に続くカード中間蓄え器（２２）を有しており、該カード中間蓄え器（２２）に第２のカードが保持される間に、第１のカードにデータが記録されることを特徴とする、データキャリアカードの処理装置。
【手続補正２】
【補正対象書類名】明細書
【補正対象項目名】０００１
【補正方法】変更
【補正の内容】
【０００１】
本発明は、データキャリアカードの処理装置であって、データキャリアカードの取消し及び発行用のインプット・アウトプット区分を備えた搬送装置と、データキャリアカードとのデータ交換用の書込み・読取り装置と、前記搬送装置及び書込み・読取り装置を制御するための制御装置とを有しており、しかも、第２のカードに記録されたデータを用いて第１のカードにデータを記録するための手段（４２，１８）が設けられている形式のものに関する。


【手続補正３】
【補正対象書類名】明細書
【補正対象項目名】０００２
【補正方法】変更
【補正の内容】
【０００２】
磁気ストリップ及び／又は組み込まれたチップを有するデータキャリアカードは、証明書カード又は支払い手段等として徐々に広まっている。多くの場合、前記カードは個人に限定されている。当該カードの発行は、ある特定の安全規定の影響下にあるので、相応に手間がかかり複雑である。


【手続補正４】
【補正対象書類名】明細書
【補正対象項目名】０００３
【補正方法】変更
【補正の内容】
【０００３】
規格化されたカードのストックを収容するためのカード蓄え器を有するカードディスペンサーが既に公知であるが、前記カードは発行前は一般に処理されない。


【手続補正５】
【補正対象書類名】明細書
【補正対象項目名】０００４
【補正方法】変更
【補正の内容】
【０００４】
更に、ドイツ連邦共和国特許出願公開第１９６３４６８８号明細書に基づき、カードの処理、つまり当該カードに記録されたデータの読取り及びデータの記録を可能にし、更に、取り出されたカードを収納し、これらのカードを再発行することもできるカードマガジンを有する装置が公知である。これにより、カードは所定のサイクルで個別に処理、記録され、場合によっては２回目の処理後に再発行することができる。但しこの場合、カードのサイクルは先入れ先出し原理に基づいて行われる。つまり、１枚のカードがカードマガジン全体を通走した後で初めて、当該カードを再発行することができる。
ヨーロッパ特許第０９１１７５１号明細書に基づき既に公知の冒頭で述べた形式の装置は、一方のチップカードから他方のカードにデータを記録し直すために働く。この場合、２つのカード穴がスイングアームに配置されており、これにより、前記カード穴を選択的に装置のインプット・アウトプット区分と整合させることができる。各カード穴には読取りヘッドが対応配置されている。最初に両カードが、カード穴を順次装置のインプット・アウトプット区分に整合させることにより、それぞれカード穴に導入される。次いで、前記カードは各読取りヘッドによって接触接続され、これにより、一方のカードから他方のカードへデータが書き換えられる。この手段のための機械的な手間は比較的大きい。
更に、ヨーロッパ特許第０７８４２９０号明細書に基づき公知の装置も、やはりデータを磁気ストリップカードからスマートカードへ上書きすることを可能にする。このためには２つの別個のカード穴が設けられている。これらのカード穴の内の一方は、読み取られてから蓄え器に収納される磁気ストリップカードのインプットに役立つ。読まれたデータは記録される。第２のカード穴は、蓄え器から取り出されて第２のカード穴に導入されるスマートカードのアウトプットに役立つ。第２のカード穴では、第１のカードから読み取られたデータが記録される。次いで、カードが顧客に発行される。この場合も、機械的な手間は比較的大きい。この公知の装置の用途は限定されている。


【手続補正６】
【補正対象書類名】明細書
【補正対象項目名】０００５
【補正方法】変更
【補正の内容】
【０００５】
本発明の課題は、冒頭で述べた形式の装置を改良して、上で述べた形式のデータキャリアカードのための用途を拡張することである。


【手続補正７】
【補正対象書類名】明細書
【補正対象項目名】０００６
【補正方法】変更
【補正の内容】
【０００６】
この課題は本発明に基づき、書込み・読取り装置がインプット・アウトプット区分に配置されており、搬送装置がインプット・アウトプット区分に続くカード中間蓄え器を有しており、該カード中間蓄え器（２２）に第２のカードが保持される間に、第１のカードにデータが記録されることによって解決される。


【手続補正８】
【補正対象書類名】明細書
【補正対象項目名】０００７
【補正方法】変更
【補正の内容】
【０００７】
つまり、データキャリアカードの処理は、例えばまず最初に第２のカードが当該装置に導入されて、このカードにメモリされたデータが読み取られるように行われる。次いで第１のカードが導入され、この第１のカードには第２のカードから読み取られたデータを用いてデータが書き込まれる。第２のカードは、例えば新しいカードの発行資格を与える証明書カードであってよい。




【国際調査報告】
2004500655.tif 000016
2004500655.tif 000017
2004500655.tif 000018
2004500655.tif 000019